(57)【特許請求の範囲】
【請求項１】
入力ＩＤＴ電極と出力ＩＤＴ電極とを有するフィルタが三個以上並列接続された弾性表面波フィルタであって、
前記各フィルタにおける入力ＩＤＴ電極と出力ＩＤＴ電極との間の音響的な各距離は、前記各フィルタを主伝搬した信号が合成される際、互いに打ち消し合わないように定められており、
前記フィルタは、その全部または一部が二個以上のトラックを有する弾性表面波フィルタ。
【請求項２】
前記音響的な距離は、幾何的な距離であり、
前記各距離をその大きさの順番に並べた際、互いに隣り合うもの同士の各差は、前記主伝搬する信号の波長の１／８以下である請求項１記載の弾性表面波フィルタ。
【請求項３】
前記各距離をその大きさの順番に並べた際、互いに隣り合うもの同士の各差は、前記主伝搬する信号の励起中心間の位相の差に関してπ／４以下である請求項１記載の弾性表面波フィルタ。
【請求項４】
前記各フィルタにおける入力ＩＤＴ電極と出力ＩＤＴ電極との間の基板上には、前記音響的な各距離を調節するための所定の部材が固定されている請求項１から３の何れかに記載の弾性表面波フィルタ。
【請求項５】
前記各距離は、全部が相異なっている請求項１から３の何れかに記載の弾性表面波フィルタ。
【請求項６】
前記各距離をその大きさの順番に並べた際、互いに隣り合うもの同士の各差は、全部が実質的に相等しい請求項５記載の弾性表面波フィルタ。
【請求項７】
前記フィルタは三個並列接続されている請求項１から６の何れかに記載の弾性表面波フィルタ。
【請求項８】
前記各フィルタの重み付けは、実質上全部が相等しい請求項１または７記載の弾性表面波フィルタ。
【請求項９】
前記フィルタは、方向性が全て同じではない複数の一方向性電極をもつ入力ＩＤＴ電極および／または出力ＩＤＴ電極を有する請求項１または７記載の弾性表面波フィルタ。
【請求項１０】
前記フィルタの内の幾何的に互いに隣り合うもの同士の電極指同士は、接続されている請求項１または７記載の弾性表面波フィルタ。
【請求項１１】
送信および／または受信を行う送信・受信手段と、
前記送信に利用されるべき送信信号および／または前記受信に利用されるべき受信信号に対してフィルタリングを行う請求項１または７記載の弾性表面波フィルタとを備えた通信装置。
【発明の詳細な説明】
【０００１】
【発明の属する技術分野】
本発明は、たとえば、無線通信機器における高周波回路などに使用されるトランスバーサル型の弾性表面波フィルタ、および通信装置に関するものである。
【０００２】
【従来の技術】
ＣＤＭＡ（Ｃｏｄｅ  Ｄｉｖｉｓｉｏｎ  Ｍｕｌｔｉｐｌｅ  Ａｃｃｅｓｓ、符号分割多元接続）などに利用されるＩＦ（Ｉｎｔｅｒｍｅｄｉａｔｅ  Ｆｒｅｑｕｅｎｃｙ、中間周波数）フィルタのように、比較的広帯域特性を必要としかつ帯域内の振幅特性や移相特性の平坦性が重要なフィルタには、トランスバーサル型の弾性表面波フィルタが適していると考えられている。
【０００３】
このようなトランスバーサル型の弾性表面波フィルタ（以下では単に弾性表面波フィルタという）においては、両方向性電極指の両方向性による損失やＴＴＥ（Ｔｒｉｐｌｅ  Ｔｒａｎｓｉｔ  Ｅｃｈｏ）による帯域内リップルなどが問題となり、これらの低減に関する研究がなされている。
【０００４】
なお、ＴＴＥは、入力ＩＤＴ電極から出力ＩＤＴ電極へ主伝搬した信号が、出力ＩＤＴ電極および入力ＩＤＴ電極で反射されて、出力ＩＤＴ電極に時間遅れで到達する３倍波と呼ばれる信号である。３倍波は反射が繰り返されるため強度的には主伝搬する信号に比較して小さいが、このために発生するＴＴＥは帯域内の平坦特性を劣化させてしまう帯域内リップルの原因となるものである。
【０００５】
はじめに、両方向性電極指の両方向性による損失の低減を抑制するための技術に関して述べるために、従来の弾性表面波フィルタ（その１）の説明図である図１５を参照しながら、従来の弾性表面波フィルタ（その１）の構成および動作について説明する。
【０００６】
従来の弾性表面波フィルタ（その１）の構成は、圧電基板１００上にＩＤＴ（Ｉｎｔｅｒ−ｄｉｇｉｔａｌ  Ｔｒａｎｓｄｕｃｅｒ）電極である入力ＩＤＴ電極１１０と出力ＩＤＴ電極１２０とを距離Δだけ隔てて配置した構成である。
【０００７】
入力端子ＩＮから入力された入力電気信号は、入力ＩＤＴ電極１１０により弾性表面波に変換され、圧電基板１００上を伝搬する。伝搬した弾性表面波は、出力ＩＤＴ電極１２０により出力電気信号に変換され、出力端子ＯＵＴから出力される。このとき、入力ＩＤＴ電極１１０および出力ＩＤＴ電極１２０には所望のフィルタ特性を得るために重み付けが施されており、電極指１１１〜１１２、１２１〜１２２を利用した一方向性電極（ここでの電極は波長λに基づいた電極指のユニットを意味する）を利用した低損失化電極構成が用いられている。
【０００８】
つぎに、ＴＴＥに起因する帯域内リップルを抑制するための技術に関して述べるために、従来の弾性表面波フィルタ（その２）の説明図である図１６、および従来の弾性表面波フィルタ（その３）の説明図である図１７を参照しながら、従来の弾性表面波フィルタ（その２）および従来の弾性表面波フィルタ（その３）の構成および動作についてそれぞれ説明する。
【０００９】
まず、図１６を参照しながら、従来の弾性表面波フィルタ（その２）の構成および動作について説明する。
【００１０】
従来の弾性表面波フィルタ（その２）は、２つのフィルタから構成されており、それぞれのフィルタの入出力間距離がλ／４（λは波長である）だけずらされている。より具体的には、第一のフィルタにおける入力ＩＤＴ電極２１０と出力ＩＤＴ電極２２０との間の距離Δ１、第二のフィルタにおける入力ＩＤＴ電極２３０と出力ＩＤＴ電極２４０との間の距離Δ２が、Δ１−Δ２＝λ／４となるように定められている。
【００１１】
従来の弾性表面波フィルタ（その２）では、多数の電極指２１１が２本ずつ交互に配置されたＳｐｌｉｔ電極とも呼ばれる両方向性のダブル電極が利用されており、ＴＴＥによる帯域内リップルが生じやすい。そこで、２つのフィルタの伝搬距離をλ／４だけずらすことにより、ＴＴＥの原因となる３倍波を打ち消し、２つのフィルタを主伝搬した信号のみを取り出すようにする。
【００１２】
なお、前述したように、入力ＩＤＴ電極から出力ＩＤＴ電極へ主伝搬した信号は出力ＩＤＴ電極で再励振されたようにして入力ＩＤＴ電極に反射されてくるが、２つのフィルタにおけるこれらの信号は２×λ／４＝λ／２に相当するπだけの位相差を有するゆえ、入力ＩＤＴ電極での再励起は誘引されず、３倍波は実質上発生しなくなるわけである。
【００１３】
つぎに、図１７を参照しながら、従来の弾性表面波フィルタ（その３）の構成および動作について説明する。
【００１４】
従来の弾性表面波フィルタ（その３）は、３つのフィルタから構成されており、それぞれのフィルタの入出力間距離がλ／３だけずらされている。より具体的には、第一のフィルタにおける入力ＩＤＴ電極３１０と出力ＩＤＴ電極３２０との間の距離Δ１、第二のフィルタにおける入力ＩＤＴ電極３３０と出力ＩＤＴ電極３４０との間の距離Δ２、第三のフィルタにおける入力ＩＤＴ電極３５０と出力ＩＤＴ電極３６０との間の距離Δ３が、Δ２−Δ１＝Δ３−Δ２＝λ／３となるように定められている。
【００１５】
従来の弾性表面波フィルタ（その３）では、入力ＩＤＴ電極３１０、３３０、３５０から励振された弾性表面波（ＳＡＷ（Ｓｕｒｆａｃｅ  ＡｃｏｕｓｔｉｃＷａｖｅ）ともいう）を出力ＩＤＴ電極３２０、３４０、３６０から電気信号として直接取り出すのではなく、出力ＩＤＴ電極３２０、３４０、３６０で一度反射し入力ＩＤＴ電極３１０、３３０、３５０で再び反射した弾性表面波のみを出力ＩＤＴ電極３２０、３４０、３６０から電気信号として取り出す。つまり、従来の弾性表面波フィルタ（その３）においては、従来の弾性表面波フィルタ（その２）のようにＴＴＥの原因となる３倍波を打ち消してしまうのではなく、主伝搬した信号を打ち消して３倍波のみを取り出して利用するわけである。
【００１６】
このような弾性表面波フィルタは、３つのフィルタを主伝搬した信号が合成される際に互いに打ち消し合うようなＩＤＴ電極の反射を利用したリフレクタフィルタとして知られる。
【００１７】
【発明が解決しようとする課題】
しかしながら、上述したような従来の弾性表面波フィルタでは、帯域内の平坦特性を十分に確保することは困難である。
【００１８】
より具体的に述べると、従来の弾性表面波フィルタ（その１）における周波数と通過特性との関係の説明図である図１８に示されているように、従来の弾性表面波フィルタ（その１）の通過特性は、中心周波数ｆ０を中心として±２ＭＨｚの範囲に当たる帯域内において０．６ｄＢもの変動量を有する。図１８において、図面上で下方に存在するグラフは、上方に存在するグラフの帯域内部分を縦軸スケールを変更して拡大したものである。もちろん、左向き矢印は左側の縦軸スケールが上方に存在するグラフに対するものであることを示し、右向き矢印は右側の縦軸スケールが下方に存在するグラフに対するものであることを示す。
【００１９】
また、ＴＴＥに起因する帯域内リップルを抑制することを意図していた従来の弾性表面波フィルタ（その２）および従来の弾性表面波フィルタ（その３）に関しても、帯域内の平坦特性は十分に確保されていない。
【００２０】
より具体的に説明すると、従来の弾性表面波フィルタ（その２）における周波数と通過特性との関係の説明図である図１９（ｂ）に示されているように、従来の弾性表面波フィルタ（その２）の通過特性は、中心周波数ｆ０を中心とした帯域内において４ｄＢもの変動量を有する。なお、従来の弾性表面波フィルタ（その２）における変化量と帯域内偏差改善量との関係の説明図である図１９（ａ）に示されているように、従来の弾性表面波フィルタ（その２）の帯域内偏差改善量は、変化量に当たるΔ１−Δ２を０から３λ／１６まで変化させることにより−１ｄＢ程度も劣化してしまう。
【００２１】
なお、従来の弾性表面波フィルタ（その２）におけるフィルタの分割の説明図である図２１に示されているように、第一のフィルタおよび第二のフィルタをそれぞれ二個のトラックを有するように分割する技術が知られている。すなわち、入力ＩＤＴ電極２１０を上部入力ＩＤＴ電極ＴＵ１（ＩＮ）と下部入力ＩＤＴ電極ＴＬ１（ＩＮ）とに分割し、入力ＩＤＴ電極２３０を上部入力ＩＤＴ電極ＴＵ２（ＩＮ）と下部入力ＩＤＴ電極ＴＬ２（ＩＮ）とに分割し、出力ＩＤＴ電極２２０を上部出力ＩＤＴ電極ＴＵ１（ＯＵＴ）と下部出力ＩＤＴ電極ＴＬ１（ＯＵＴ）とに分割し、出力ＩＤＴ電極２４０を上部出力ＩＤＴ電極ＴＵ２（ＯＵＴ）と下部出力ＩＤＴ電極ＴＬ２（ＯＵＴ）とに分割する技術である。しかし、フィルタ数が２である従来の弾性表面波フィルタ（その２）においては、このようなトラック分割で前述した帯域内偏差改善量の劣化を十分に抑制することは困難であった。
【００２２】
また、従来の弾性表面波フィルタ（その３）における周波数と通過特性との関係の説明図である図２０に示されているように、従来の弾性表面波フィルタ（その３）の通過特性は、中心周波数ｆ０を中心とした帯域内において３ｄＢもの変動量を有する。
【００２３】
従来の弾性表面波フィルタでは、帯域内の平坦特性を十分に確保することはこのように困難であった。
【００２４】
本発明は、上記従来のこのような課題を考慮し、帯域内の平坦特性を十分に確保することができる弾性表面波フィルタ、および通信装置を提供することを目的とするものである。
【００２５】
【課題を解決するための手段】
第一の本発明（請求項１に対応）は、入力ＩＤＴ電極と出力ＩＤＴ電極とを有するフィルタが三個以上並列接続された弾性表面波フィルタであって、
前記各フィルタにおける入力ＩＤＴ電極と出力ＩＤＴ電極との間の音響的な各距離は、前記各フィルタを主伝搬した信号が合成される際、互いに打ち消し合わないように定められており、
前記フィルタは、その全部または一部が二個以上のトラックを有する弾性表面波フィルタである。
【００２６】
第二の本発明（請求項２に対応）は、前記音響的な距離は、幾何的な距離であり、
前記各距離をその大きさの順番に並べた際、互いに隣り合うもの同士の各差は、前記主伝搬する信号の波長の１／８以下である第一の本発明の弾性表面波フィルタである。
【００２７】
第三の本発明（請求項３に対応）は、前記各距離をその大きさの順番に並べた際、互いに隣り合うもの同士の各差は、前記主伝搬する信号の励起中心間の位相の差に関してπ／４以下である第一の本発明の弾性表面波フィルタである。
【００２８】
第四の本発明（請求項４に対応）は、前記各フィルタにおける入力ＩＤＴ電極と出力ＩＤＴ電極との間の基板上には、前記音響的な各距離を調節するための所定の部材が固定されている第一から第三の何れかの本発明の弾性表面波フィルタである。
【００２９】
第五の本発明（請求項５に対応）は、前記各距離は、全部が相異なっている第一から第三の何れかの本発明の弾性表面波フィルタである。
【００３０】
第六の本発明（請求項６に対応）は、前記各距離をその大きさの順番に並べた際、互いに隣り合うもの同士の各差は、全部が実質的に相等しい第五の本発明の弾性表面波フィルタである。
【００３１】
第七の本発明（請求項７に対応）は、前記フィルタは三個並列接続されている第一から第六の何れかの本発明の弾性表面波フィルタである。
【００３２】
第八の本発明（請求項８に対応）は、前記各フィルタの重み付けは、実質上全部が相等しい第一または第七の本発明の弾性表面波フィルタである。
【００３３】
第九の本発明（請求項９に対応）は、前記フィルタは、方向性が全て同じではない複数の一方向性電極をもつ入力ＩＤＴ電極および／または出力ＩＤＴ電極を有する第一または第七の本発明の弾性表面波フィルタである。
【００３４】
第十の本発明（請求項１０に対応）は、前記フィルタの内の幾何的に互いに隣り合うもの同士の電極指同士は、接続されている第一または第七の本発明の弾性表面波フィルタである。
【００３６】
第十一の本発明（請求項１１に対応）は、送信および／または受信を行う送信・受信手段と、
前記送信に利用されるべき送信信号および／または前記受信に利用されるべき受信信号に対してフィルタリングを行う第一または第七の本発明の弾性表面波フィルタとを備えた通信装置である。
【００３７】
【発明の実施の形態】
以下に、本発明にかかる実施の形態について、図面を参照しつつ説明を行う。
【００３８】
（実施の形態１）
はじめに、本発明の実施の形態１の弾性表面波フィルタの構成図である図１を参照しながら、本実施の形態の弾性表面波フィルタの構成について説明する。
【００３９】
本実施の形態の弾性表面波フィルタは、入力ＩＤＴ電極４１０と出力ＩＤＴ電極４２０とを有するフィルタ４０１、入力ＩＤＴ電極４３０と出力ＩＤＴ電極４４０とを有するフィルタ４０２、および入力ＩＤＴ電極４５０と出力ＩＤＴ電極４６０とを有するフィルタ４０３が圧電基板４００上に三個並列接続されたトランスバーサル型の弾性表面波フィルタである。
【００４０】
フィルタ４０１における入力ＩＤＴ電極４１０と出力ＩＤＴ電極４２０との間の幾何的距離、フィルタ４０２における入力ＩＤＴ電極４３０と出力ＩＤＴ電極４４０との間の幾何的距離、フィルタ４０３における入力ＩＤＴ電極４５０と出力ＩＤＴ電極４６０との間の幾何的距離は、それぞれＤ１、Ｄ２、Ｄ３であって、各フィルタ４０１〜４０３を矢印Ｘの方向（順方向）に弾性表面波として主伝搬した信号が合成される際、互いに打ち消し合わないように定められている。
【００４１】
より具体的に説明すると、幾何的距離Ｄ１〜Ｄ３は、主伝搬する信号の波長λに関して、Ｄ１＜Ｄ２＜Ｄ３であって実質的にＤ３−Ｄ２＝Ｄ２−Ｄ１＝λ／１６≦λ／８となるように定められている。
【００４２】
幾何的距離Ｄ１〜Ｄ３は、信号が主伝搬する矢印Ｘの方向に関するものである。たとえば、幾何的距離Ｄ１は、入力ＩＤＴ電極４１０の右側エッジと出力ＩＤＴ電極４２０の左側エッジとの間の電極エッジ間距離である。
【００４３】
各フィルタ４０１〜４０３のバスバー部分は、入力端子ＩＮまたは出力端子ＯＵＴに接続されている。
【００４４】
より具体的に説明すると、入力ＩＤＴ電極４１０、４３０、４５０の上部バスバー部分同士は入力端子ＩＮに接続されており、出力ＩＤＴ電極４２０、４４０、４６０の上部バスバー部分同士は出力端子ＯＵＴに接続されている。なお、入力ＩＤＴ電極４１０、４３０、４５０の下部バスバー部分はそれぞれ接地されており、出力ＩＤＴ電極４２０、４４０、４６０の下部バスバー部分はそれぞれ接地されている。
【００４５】
よって、本実施の形態の弾性表面波フィルタは、不平衡−不平衡端子を有している。
【００４６】
つぎに、本実施の形態の弾性表面波フィルタの構成についてより詳しく説明する。
【００４７】
圧電基板４００は、水晶で形成された板形状をもつ基板である。
【００４８】
入力ＩＤＴ電極４１０は、一定の電極周期ｐを利用して圧電基板４００上に形成された櫛形形状をもつ電極指を複数本有している。これらの電極指は、抵抗が小さく比重の軽いアルミ合金の金属薄膜で構成されている。また、入力ＩＤＴ電極４１０は、伝搬方向が両方向である両方向性電極指とともに矢印Ｘの方向に強く励振する（すなわち、その伝搬方向が矢印Ｘの方向である）電極指４１１〜４１２を利用した一方向性電極（ここでの電極は波長λに基づいた電極指のユニットを意味する）で、低損失化電極構成を実現している。
【００４９】
入力ＩＤＴ電極４１０に入力端子ＩＮから入力電気信号が入力されて電界が発生すると、その電界の変動に応じて圧電基板４００上に歪みが発生し、その歪みが弾性表面波として出力ＩＤＴ電極４２０に伝搬するものである。電極周期ｐおよび電極指４１１〜４１２の配置の仕方などに応じた電極の重み付けは、たとえば帯域内の振幅特性や移相特性の平坦性などの弾性表面波フィルタの特性が所望の通り実現されるよう設計されている。
【００５０】
もちろん、たとえば入力ＩＤＴ電極４１０における電極の重み付けと後述される出力ＩＤＴ電極４２０における電極の重み付けとに応じてフィルタ４０１の特性が決定され、各フィルタ４０１〜４０３の特性に応じて本実施の形態の弾性表面波フィルタの特性が決定されるものである。
【００５１】
出力ＩＤＴ電極４２０は、入力ＩＤＴ電極４１０と類似した構成を有しており、一定の電極周期ｐを利用して圧電基板４００上に形成された櫛形形状をもつ電極指を複数本有している。また、出力ＩＤＴ電極４２０は、伝搬方向が両方向である両方向性電極指とともに、矢印Ｘの方向とは逆の方向に強く励振する（すなわち、その伝搬方向が矢印Ｘの方向とは逆の方向（逆方向）である）電極指４２１〜４２２を有している。
【００５２】
圧電基板４００上に発生した歪みが弾性表面波として伝搬してくると、その歪みは出力ＩＤＴ電極４２０において出力電気信号に変換され、変換された出力電気信号が出力端子ＯＵＴから出力されるものである。電極周期ｐおよび電極指４２１〜４２２の配置の仕方などに応じた電極の重み付けは、弾性表面波フィルタの特性が所望の通り実現されるよう設計されている。
【００５３】
ここまででフィルタ４０１の入力ＩＤＴ電極４１０および出力ＩＤＴ電極４２０の構成について詳細に説明したが、入力ＩＤＴ電極４３０、４５０は入力ＩＤＴ電極４１０と同様の構成を有しており、出力ＩＤＴ電極４４０、４６０は出力ＩＤＴ電極４２０と同様の構成を有している。
【００５４】
よって、本実施の形態においては、各フィルタ４０１〜４０３の重み付けが実質上全部相等しい。
【００５５】
なお、入力ＩＤＴ電極４１０、４３０、４５０は本発明の入力ＩＤＴ電極に対応し、出力ＩＤＴ電極４２０、４４０、４６０は本発明の出力ＩＤＴ電極に対応し、フィルタ４０１〜４０３は本発明のフィルタに対応し、圧電基板４００は本発明の基板に対応する。また、幾何的距離Ｄ１〜Ｄ３は、本発明の各フィルタにおける入力ＩＤＴ電極と出力ＩＤＴ電極との間の音響的な距離に対応する。
【００５６】
つぎに、本発明の実施の形態１の弾性表面波フィルタにおける周波数と通過特性との関係の説明図である図２、および本発明の実施の形態１の弾性表面波フィルタにおける変化量と帯域内偏差改善量との関係の説明図である図３を主として参照しながら、本実施の形態の弾性表面波フィルタの動作について説明する。
【００５７】
本実施の形態の弾性表面波フィルタは、入力端子ＩＮから入力電気信号を入力し、その入力した入力電気信号を一旦弾性表面波に変換してフィルタリングを行い、そのフィルタリングされた弾性表面波を再び出力電気信号に変換して、その変換された出力電気信号を出力端子ＯＵＴから出力するという動作を行う。
【００５８】
その通過特性を調べることにより、本実施の形態の弾性表面波フィルタは良好なフィルタ特性を有することが裏付けられた。
【００５９】
より具体的に述べると、図２に示されているように、本実施の形態の弾性表面波フィルタの通過特性は、中心周波数ｆ０を中心として±２ＭＨｚの範囲に当たる帯域内において０．４ｄＢの変動量しか有しない。
【００６０】
これは、幾何的距離Ｄ１〜Ｄ３がＤ３−Ｄ２＝Ｄ２−Ｄ１＝λ／１６≦λ／８となるように定められているため、主伝搬した信号は互いに打ち消し合わないが、帯域内リップルは互いに打ち消し合うからであると、本発明者は考えている。
【００６１】
よって、たとえば前述した従来の弾性表面波フィルタ（その１）における０．６ｄＢの変動量と比較すると（図１８参照）、ＴＴＥに起因する帯域内リップルが大きく抑制されており、帯域内の平坦特性が十分に確保されているといえる。
【００６２】
もちろん、前述の場合と同様に（図１８参照）、図２において、図面上で下方に存在するグラフは、上方に存在するグラフの帯域内部分を縦軸スケールを変更して拡大したものである。また、左向き矢印は左側の縦軸スケールが上方に存在するグラフに対するものであることを示し、右向き矢印は右側の縦軸スケールが下方に存在するグラフに対するものであることを示す。
【００６３】
また、図３に示されているように、本実施の形態の弾性表面波フィルタの帯域内偏差改善量は、変化量に当たるＤ３−Ｄ２＝Ｄ２−Ｄ１を０からλ／８まで変化させてもほとんど劣化することがない。
【００６４】
よって、たとえば前述した従来の弾性表面波フィルタ（その２）と比較すると（図１９(a）参照）、比帯域の減少が大きく抑制されているといえる。ただし、変化量がλ／８を越えてしまうと、帯域内偏差改善量は−３ｄＢ程度まで大きく劣化してしまう。これゆえ、Ｄ３−Ｄ２、Ｄ２−Ｄ１はλ／８以下であることが望ましい。
【００６５】
（実施の形態２）
はじめに、本発明の実施の形態２の弾性表面波フィルタの構成図である図４を主として参照しながら、本実施の形態の弾性表面波フィルタの構成について説明する。
【００６６】
本実施の形態の弾性表面波フィルタは、前述した実施の形態１の弾性表面波フィルタ（図１参照）と類似した構成を有しており、入力ＩＤＴ電極４１０と出力ＩＤＴ電極４２０とを有するフィルタ４０１、入力ＩＤＴ電極４３０と出力ＩＤＴ電極４４０とを有するフィルタ４０２、および入力ＩＤＴ電極４５０と出力ＩＤＴ電極４６０とを有するフィルタ４０３が圧電基板４００上に三個並列接続されたトランスバーサル型の弾性表面波フィルタである。また、幾何的距離Ｄ１〜Ｄ３は、各フィルタ４０１〜４０３を矢印Ｘの方向に弾性表面波として主伝搬した信号が合成される際、互いに打ち消し合わないように定められている。
【００６７】
各フィルタ４０１〜４０３のバスバー部分は、入力端子ＩＮ１、２または出力端子ＯＵＴ１、２に接続されている。
【００６８】
本実施の形態の弾性表面波フィルタにおけるこれらの接続の仕方は、前述した実施の形態１の弾性表面波フィルタにおける接続の仕方とは異なっている。
【００６９】
より具体的に説明すると、入力ＩＤＴ電極４１０、４３０、４５０の上部バスバー部分同士は入力端子ＩＮ１に接続されており、出力ＩＤＴ電極４２０、４４０、４６０の上部バスバー部分同士は出力端子ＯＵＴ１に接続されている。また、入力ＩＤＴ電極４１０、４３０、４５０の下部バスバー部分同士は入力端子ＩＮ２に接続されており、出力ＩＤＴ電極４２０、４４０、４６０の下部バスバー部分同士は出力端子ＯＵＴ２に接続されている。
【００７０】
よって、本実施の形態の弾性表面波フィルタは、平衡−平衡端子を有している。
【００７１】
つぎに、本実施の形態の弾性表面波フィルタの動作について説明する。
【００７２】
本実施の形態の弾性表面波フィルタは、前述した実施の形態１の弾性表面波フィルタと類似した動作を行い、入力端子ＩＮ１、ＩＮ２から入力電気信号を入力し、その入力した入力電気信号を一旦弾性表面波に変換してフィルタリングを行い、そのフィルタリングされた弾性表面波を再び出力電気信号に変換して、その変換された出力電気信号を出力端子ＯＵＴ１、ＯＵＴ２から出力するという動作を行う。
【００７３】
本実施の形態の弾性表面波フィルタの動作は、平衡−平衡端子を利用するバランス動作になっている。
【００７４】
その通過特性を調べることにより、本実施の形態の弾性表面波フィルタは前述した実施の形態１の弾性表面波フィルタと同様に良好なフィルタ特性を有することが裏付けられる。
【００７５】
（実施の形態３）
はじめに、本発明の実施の形態３の弾性表面波フィルタの構成図である図５を主として参照しながら、本実施の形態の弾性表面波フィルタの構成について説明する。
【００７６】
本実施の形態の弾性表面波フィルタは、前述した実施の形態１の弾性表面波フィルタ（図１参照）と類似した構成を有しており、入力ＩＤＴ電極４１０と出力ＩＤＴ電極４２０とを有するフィルタ４０１、入力ＩＤＴ電極４３０と出力ＩＤＴ電極４４０とを有するフィルタ４０２、および入力ＩＤＴ電極４５０と出力ＩＤＴ電極４６０とを有するフィルタ４０３が圧電基板４００上に三個並列接続されたトランスバーサル型の弾性表面波フィルタである。
【００７７】
本実施の形態においては、フィルタ４０１における入力ＩＤＴ電極４１０と出力ＩＤＴ電極４２０との間の幾何的距離、フィルタ４０２における入力ＩＤＴ電極４３０と出力ＩＤＴ電極４４０との間の幾何的距離、フィルタ４０３における入力ＩＤＴ電極４５０と出力ＩＤＴ電極４６０との間の幾何的距離は、何れもＤ１であって相等しい。
【００７８】
ただし、圧電基板４００上における入力ＩＤＴ電極４１０と出力ＩＤＴ電極４２０との間には金属片４０４が貼附されており、圧電基板４００上における入力ＩＤＴ電極４３０と出力ＩＤＴ電極４４０との間には金属片４０５が貼附されており、圧電基板４００上における入力ＩＤＴ電極４５０と出力ＩＤＴ電極４６０との間には金属片４０６が貼附されている。
【００７９】
このため、フィルタ４０１における入力ＩＤＴ電極４１０と出力ＩＤＴ電極４２０との間の音響的距離、フィルタ４０２における入力ＩＤＴ電極４３０と出力ＩＤＴ電極４４０との間の音響的距離、フィルタ４０３における入力ＩＤＴ電極４５０と出力ＩＤＴ電極４６０との間の音響的距離は、それぞれＤ１′、Ｄ２′、Ｄ３′であって、各フィルタ４０１〜４０３を矢印Ｘの方向に弾性表面波として主伝搬した信号が合成される際、互いに打ち消し合わないように定められている。
【００８０】
より具体的に説明すると、音響的距離Ｄ１′〜Ｄ３′は、主伝搬する信号の波長λに関して、Ｄ１′＜Ｄ２′＜Ｄ３′であって実質的にＤ３′−Ｄ２′＝Ｄ２′−Ｄ１′＝λ／１６≦λ／８となるように定められている。
【００８１】
金属片４０４〜４０６の矢印Ｘの方向に関する幅が音響的距離Ｄ１′〜Ｄ３′がこのような関係を有するよう順に大きくなっていることはもちろんである。
【００８２】
また、音響的距離Ｄ１′〜Ｄ３′は、信号が主伝搬する矢印Ｘの方向に関するものである。たとえば、音響的距離Ｄ１′は、入力ＩＤＴ電極４１０の右側エッジと出力ＩＤＴ電極４２０の左側エッジとの間の音響的な見かけ距離と考えられる。
【００８３】
なお、金属片４０４〜４０６は、本発明の所定の部材に対応する。また、音響的距離Ｄ１′〜Ｄ３′は、本発明の音響的な距離に対応する。
【００８４】
つぎに、本実施の形態の弾性表面波フィルタの動作について説明する。
【００８５】
本実施の形態の弾性表面波フィルタは、前述した実施の形態１の弾性表面波フィルタと類似した動作を行い、入力端子ＩＮから入力電気信号を入力し、その入力した入力電気信号を一旦弾性表面波に変換してフィルタリングを行い、そのフィルタリングされた弾性表面波を再び出力電気信号に変換して、その変換された出力電気信号を出力端子ＯＵＴから出力するという動作を行う。
【００８６】
その通過特性を調べることにより、本実施の形態の弾性表面波フィルタは前述した実施の形態１の弾性表面波フィルタと同様に良好なフィルタ特性を有することが裏付けられる。
【００８７】
（実施の形態４）
はじめに、本発明の実施の形態４の弾性表面波フィルタの構成図である図６を主として参照しながら、本実施の形態の弾性表面波フィルタの構成について説明する。
【００８８】
本実施の形態の弾性表面波フィルタは、入力ＩＤＴ電極５１０と出力ＩＤＴ電極５２０とを有するフィルタ５０１、入力ＩＤＴ電極５３０と出力ＩＤＴ電極５４０とを有するフィルタ５０２、および入力ＩＤＴ電極５５０と出力ＩＤＴ電極５６０とを有するフィルタ５０３が圧電基板５００上に三個並列接続されたトランスバーサル型の弾性表面波フィルタである。
【００８９】
フィルタ５０１における入力ＩＤＴ電極５１０と出力ＩＤＴ電極５２０との間の幾何的距離、フィルタ５０２における入力ＩＤＴ電極５３０と出力ＩＤＴ電極５４０との間の幾何的距離、フィルタ５０３における入力ＩＤＴ電極５５０と出力ＩＤＴ電極５６０との間の幾何的距離は、前述した実施の形態１の弾性表面波フィルタ（図１参照）の場合と同様、それぞれＤ１、Ｄ２、Ｄ３であって、各フィルタ５０１〜５０３を矢印Ｘの方向に弾性表面波として主伝搬した信号が合成される際、互いに打ち消し合わないように定められている。
【００９０】
本実施の形態の弾性表面波フィルタにおいては、各フィルタ５０１〜５０３の内の幾何的に互いに隣り合うもの同士の電極指同士は互いに接続されており、並列接続が実現されている。
【００９１】
より具体的に説明すると、入力ＩＤＴ電極５１０の電極指下部と入力ＩＤＴ電極５３０の電極指上部とは接続電極５０４によって互いに接続されており、出力ＩＤＴ電極５２０の電極指下部と出力ＩＤＴ電極５４０の電極指上部とは接続電極５０５によって互いに接続されている。また、入力ＩＤＴ電極５３０の電極指下部と入力ＩＤＴ電極５５０の電極指上部とは接続電極５０６によって互いに接続されており、出力ＩＤＴ電極５４０の電極指下部と出力ＩＤＴ電極５６０の電極指上部とは接続電極５０７によって互いに接続されている。
【００９２】
このように、本実施の形態の弾性表面波フィルタにおいては、各フィルタ５０１〜５０３の電極指同士の接続に接続電極５０４〜５０７が利用されている。
【００９３】
入力ＩＤＴ電極５１０の上部バスバー部分は入力端子ＩＮに接続されており、出力ＩＤＴ電極５２０の上部バスバー部分は出力端子ＯＵＴ１に接続されている。また、入力ＩＤＴ電極５５０の下部バスバー部分は接地されており、出力ＩＤＴ電極５６０の下部バスバー部分は接地されている。
【００９４】
よって、本実施の形態の弾性表面波フィルタは、不平衡−不平衡端子を有している。
【００９５】
つぎに、本実施の形態の弾性表面波フィルタの構成についてより詳しく説明する。
【００９６】
圧電基板５００は、圧電基板４００（図１参照）と同様、水晶で形成された板形状をもつ基板である。
【００９７】
入力ＩＤＴ電極５１０は、入力ＩＤＴ電極４１０（図１参照）と同様、一定の電極周期ｐを利用して圧電基板５００上に形成された櫛形形状をもつ電極指を複数本有している。これらの電極指は、抵抗が小さく比重の軽いアルミ合金の金属薄膜で構成されている。また、入力ＩＤＴ電極５１０は、伝搬方向が両方向である両方向性電極指とともに矢印Ｘの方向に強く励振する電極指５１１〜５１２を利用した一方向性電極で、低損失化電極構成を実現している。
【００９８】
前述した実施の形態１の弾性表面波フィルタの場合と同様、入力ＩＤＴ電極５１０に入力端子ＩＮから入力電気信号が入力されて電界が発生すると、その電界の変動に応じて圧電基板５００上に歪みが発生し、その歪みが弾性表面波として出力ＩＤＴ電極５２０に伝搬するものである。電極周期ｐおよび電極指５１１〜５１２の配置の仕方などに応じた電極の重み付けは、たとえば帯域内の振幅特性や移相特性の平坦性などの弾性表面波フィルタの特性が所望の通り実現されるよう設計されている。
【００９９】
もちろん、たとえば入力ＩＤＴ電極５１０における電極の重み付けと後述される出力ＩＤＴ電極５２０における電極の重み付けとに応じてフィルタ５０１の特性が決定され、各フィルタ５０１〜５０３の特性に応じて本実施の形態の弾性表面波フィルタの特性が決定されるものである。
【０１００】
出力ＩＤＴ電極５２０は、入力ＩＤＴ電極５１０と類似した構成を有しており、一定の電極周期ｐを利用して圧電基板５００上に形成された櫛形形状をもつ電極指を複数本有している。また、出力ＩＤＴ電極５２０は、伝搬方向が両方向である両方向性電極指とともに、矢印Ｘの方向とは逆の方向に強く励振する電極指５２１〜５２２を有している。
【０１０１】
前述した実施の形態１の弾性表面波フィルタの場合と同様、圧電基板５００上に発生した歪みが弾性表面波として伝搬してくると、その歪みは出力ＩＤＴ電極５２０において出力電気信号に変換され、変換された出力電気信号が出力端子ＯＵＴから出力されるものである。電極周期ｐおよび電極指５２１〜５２２の配置の仕方などに応じた電極の重み付けは、弾性表面波フィルタの特性が所望の通り実現されるよう設計されている。
【０１０２】
ここまででフィルタ５０１の入力ＩＤＴ電極５１０および出力ＩＤＴ電極５２０の構成について詳細に説明したが、入力ＩＤＴ電極５３０、５５０は入力ＩＤＴ電極５１０と同様の構成を有しており、出力ＩＤＴ電極５４０、５６０は出力ＩＤＴ電極５２０と同様の構成を有している。
【０１０３】
よって、本実施の形態においては、各フィルタ５０１〜５０３の重み付けが実質上全部相等しい。
【０１０４】
接続電極５０４は、入力ＩＤＴ電極５１０と類似した構成を有しており、一定の電極周期ｐを利用して圧電基板５００上に形成された櫛形形状をもつ電極指を複数本有している。これらの電極指は、抵抗が小さく比重の軽いアルミ合金の金属薄膜で構成されている。
【０１０５】
接続電極５０５〜５０７は、接続電極５０４と同様の構成を有している。
【０１０６】
なお、入力ＩＤＴ電極５１０、５３０、５５０は本発明の入力ＩＤＴ電極に対応し、出力ＩＤＴ電極５２０、５４０、５６０は本発明の出力ＩＤＴ電極に対応し、フィルタ５０１〜５０３は本発明のフィルタに対応し、圧電基板５００は本発明の基板に対応する。
【０１０７】
つぎに、本実施の形態の弾性表面波フィルタの動作について説明する。
【０１０８】
本実施の形態の弾性表面波フィルタは、前述した実施の形態１の弾性表面波フィルタと類似した動作を行い、入力端子ＩＮから入力電気信号を入力し、その入力した入力電気信号を一旦弾性表面波に変換してフィルタリングを行い、そのフィルタリングされた弾性表面波を再び出力電気信号に変換して、その変換された出力電気信号を出力端子ＯＵＴから出力するという動作を行う。
【０１０９】
その通過特性を調べることにより、本実施の形態の弾性表面波フィルタは前述した実施の形態１の弾性表面波フィルタと同様に良好なフィルタ特性を有することが裏付けられる。
【０１１０】
（実施の形態５）
はじめに、本発明の実施の形態５の弾性表面波フィルタの構成図である図７を主として参照しながら、本実施の形態の弾性表面波フィルタの構成について説明する。
【０１１１】
本実施の形態の弾性表面波フィルタは、前述した実施の形態４の弾性表面波フィルタ（図６参照）と類似した構成を有しており、入力ＩＤＴ電極５１０と出力ＩＤＴ電極５２０とを有するフィルタ５０１、入力ＩＤＴ電極５３０と出力ＩＤＴ電極５４０とを有するフィルタ５０２、および入力ＩＤＴ電極５５０と出力ＩＤＴ電極５６０とを有するフィルタ５０３が圧電基板５００上に三個並列接続されたトランスバーサル型の弾性表面波フィルタである。また、幾何的距離Ｄ１〜Ｄ３は、各フィルタ５０１〜５０３を矢印Ｘの方向に弾性表面波として主伝搬した信号が合成される際、互いに打ち消し合わないように定められている。また、各フィルタ５０１〜５０３の内の幾何的に互いに隣り合うもの同士の電極指同士は互いに接続されており、並列接続が実現されている。
【０１１２】
各フィルタ５０１〜５０３のバスバー部分は、入力端子ＩＮ１、２または出力端子ＯＵＴ１、２に接続されている。
【０１１３】
本実施の形態の弾性表面波フィルタにおけるこれらの接続の仕方は、前述した実施の形態４の弾性表面波フィルタにおける接続の仕方とは異なっている。
【０１１４】
より具体的に説明すると、入力ＩＤＴ電極５１０の上部バスバー部分は入力端子ＩＮ１に接続されており、出力ＩＤＴ電極５２０の上部バスバー部分は出力端子ＯＵＴ１に接続されている。また、入力ＩＤＴ電極５５０の下部バスバー部分は入力端子ＩＮ２に接続されており、出力ＩＤＴ電極５６０の下部バスバー部分は出力端子ＯＵＴ２に接続されている。
【０１１５】
よって、本実施の形態の弾性表面波フィルタは、平衡−平衡端子を有している。
【０１１６】
つぎに、本実施の形態の弾性表面波フィルタの動作について説明する。
【０１１７】
本実施の形態の弾性表面波フィルタは、前述した実施の形態４の弾性表面波フィルタと類似した動作を行い、入力端子ＩＮ１、ＩＮ２から入力電気信号を入力し、その入力した入力電気信号を一旦弾性表面波に変換してフィルタリングを行い、そのフィルタリングされた弾性表面波を再び出力電気信号に変換して、その変換された出力電気信号を出力端子ＯＵＴ１、ＯＵＴ２から出力するという動作を行う。
【０１１８】
本実施の形態の弾性表面波フィルタの動作は、前述した実施の形態２の弾性表面波フィルタの場合と同様、平衡−平衡端子を利用するバランス動作になっている。
【０１１９】
その通過特性を調べることにより、本実施の形態の弾性表面波フィルタは前述した実施の形態４の弾性表面波フィルタと同様に良好なフィルタ特性を有することが裏付けられる。
【０１２０】
（実施の形態６）
はじめに、本発明の実施の形態６の弾性表面波フィルタの構成図である図８を主として参照しながら、本実施の形態の弾性表面波フィルタの構成について説明する。
【０１２１】
本実施の形態の弾性表面波フィルタは、入力ＩＤＴ電極６１０と出力ＩＤＴ電極６２０とを有するフィルタ６０１、入力ＩＤＴ電極６３０と出力ＩＤＴ電極６４０とを有するフィルタ６０２、および入力ＩＤＴ電極６５０と出力ＩＤＴ電極６６０とを有するフィルタ６０３が圧電基板６００上に三個並列接続されたトランスバーサル型の弾性表面波フィルタである。
【０１２２】
フィルタ６０１における入力ＩＤＴ電極６１０と出力ＩＤＴ電極６２０との間の幾何的距離、フィルタ６０２における入力ＩＤＴ電極６３０と出力ＩＤＴ電極６４０との間の幾何的距離、フィルタ６０３における入力ＩＤＴ電極６５０と出力ＩＤＴ電極６６０との間の幾何的距離は、前述した実施の形態１の弾性表面波フィルタ（図１参照）の場合と同様、それぞれＤ１、Ｄ２、Ｄ３であって、各フィルタ６０１〜６０３を矢印Ｘの方向に弾性表面波として主伝搬した信号が合成される際、互いに打ち消し合わないように定められている。
【０１２３】
本実施の形態の弾性表面波フィルタにおいては、各入力ＩＤＴ電極６１０、６３０、６５０は上部入力ＩＤＴ電極ＴＵ１（ＩＮ）〜ＴＵ３（ＩＮ）および下部入力ＩＤＴ電極ＴＬ１（ＩＮ）〜ＴＵ３（ＩＮ）を有しており、各出力ＩＤＴ電極６２０、６４０、６６０は上部出力ＩＤＴ電極ＴＵ１（ＯＵＴ）〜ＴＵ３（ＯＵＴ）および下部出力ＩＤＴ電極ＴＵ１（ＯＵＴ）〜ＴＵ３（ＯＵＴ）を有している。
【０１２４】
より具体的に説明すると、フィルタ６０１の入力ＩＤＴ電極６１０は（矢印Ｘの方向とは直交する）矢印Ｙの方向に隣り合って配列された上部入力ＩＤＴ電極ＴＵ１（ＩＮ）および下部入力ＩＤＴ電極ＴＬ１（ＩＮ）を有しており、フィルタ６０１の出力ＩＤＴ電極６２０は矢印Ｙの方向に隣り合って配列された上部出力ＩＤＴ電極ＴＵ１（ＯＵＴ）および下部出力ＩＤＴ電極ＴＬ１（ＯＵＴ）を有している。また、フィルタ６０２の入力ＩＤＴ電極６３０は矢印Ｙの方向に隣り合って配列された上部入力ＩＤＴ電極ＴＵ２（ＩＮ）および下部入力ＩＤＴ電極ＴＬ２（ＩＮ）を有しており、フィルタ６０２の出力ＩＤＴ電極６４０は矢印Ｙの方向に隣り合って配列された上部出力ＩＤＴ電極ＴＵ２（ＯＵＴ）および下部出力ＩＤＴ電極ＴＬ２（ＯＵＴ）を有している。また、フィルタ６０３の入力ＩＤＴ電極６５０は矢印Ｙの方向に隣り合って配列された上部入力ＩＤＴ電極ＴＵ３（ＩＮ）および下部入力ＩＤＴ電極ＴＬ３（ＩＮ）を有しており、フィルタ６０３の出力ＩＤＴ電極６６０は矢印Ｙの方向に隣り合って配列された上部出力ＩＤＴ電極ＴＵ３（ＯＵＴ）および下部出力ＩＤＴ電極ＴＬ３（ＯＵＴ）を有している。
【０１２５】
このように、本実施の形態の弾性表面波フィルタにおいては、各フィルタ６０１〜６０３は上部入力ＩＤＴ電極ＴＵ１（ＩＮ）〜ＴＵ３（ＩＮ）、下部入力ＩＤＴ電極ＴＬ１（ＩＮ）〜ＴＵ３（ＩＮ）、上部出力ＩＤＴ電極ＴＵ１（ＯＵＴ）〜ＴＵ３（ＯＵＴ）、下部出力ＩＤＴ電極ＴＵ１（ＯＵＴ）〜ＴＵ３（ＯＵＴ）を利用して上下に隣り合うように配列された二個のトラックに分割されている。
【０１２６】
たとえば、上部入力ＩＤＴ電極ＴＵ１（ＩＮ）と上部出力ＩＤＴ電極ＴＵ１（ＯＵＴ）との間に形成されるトラックはフィルタ６０１の上部トラックと呼ばれ、下部入力ＩＤＴ電極ＴＬ１（ＩＮ）と下部出力ＩＤＴ電極ＴＬ１（ＯＵＴ）との間に形成されるトラックはフィルタ６０１の下部トラックと呼ばれる。
【０１２７】
つぎに、本発明の実施の形態６のフィルタ６０１の構成図である図９を主として参照しながら、本実施の形態の弾性表面波フィルタの構成についてより詳しく説明する。
【０１２８】
以下では、主としてフィルタ６０１の入力ＩＤＴ電極６１０および出力ＩＤＴ電極６２０の構成について述べる。
【０１２９】
入力ＩＤＴ電極６１０の上部入力ＩＤＴ電極ＴＵ１（ＩＮ）は、入力ＩＤＴ電極４１０（図１参照）と同様、一定の電極周期ｐを利用して圧電基板６００（図８参照）上に形成された櫛形形状をもつ電極指を複数本有している。これらの電極指は、抵抗が小さく比重の軽いアルミ合金の金属薄膜で構成されている。また、上部入力ＩＤＴ電極ＴＵ１（ＩＮ）は、伝搬方向が両方向である両方向性電極指とともに矢印Ｘの方向に強く励振する電極指６１１〜６１２を利用した一方向性電極で、低損失化電極構成を実現している。
【０１３０】
入力ＩＤＴ電極６１０の下部入力ＩＤＴ電極ＴＬ１（ＩＮ）は、前述した上部入力ＩＤＴ電極ＴＵ１（ＩＮ）と同様、一定の電極周期ｐを利用して圧電基板６００（図８参照）上に形成された櫛形形状をもつ電極指を複数本有している。また、下部入力ＩＤＴ電極ＴＬ１（ＩＮ）は伝搬方向が両方向である両方向性電極指とともに矢印Ｘの方向に強く励振する電極指６１３〜６１４を有している。
【０１３１】
前述した実施の形態１の弾性表面波フィルタの場合と同様、上部入力ＩＤＴ電極ＴＵ１（ＩＮ）および下部入力ＩＤＴ電極ＴＬ１（ＩＮ）を有する入力ＩＤＴ電極６１０に入力端子（図示省略）から入力電気信号が入力されて電界が発生すると、その電界の変動に応じて圧電基板６００上に歪みが発生し、その歪みが弾性表面波として出力ＩＤＴ電極６２０に伝搬するものである。上部入力ＩＤＴ電極ＴＵ１（ＩＮ）および下部入力ＩＤＴ電極ＴＬ１（ＩＮ）における電極周期ｐおよび電極指６１１〜６１４の配置の仕方などに応じた電極の重み付けは、たとえば帯域内の振幅特性や移相特性の平坦性などの弾性表面波フィルタの特性が所望の通り実現されるよう設計されている。
【０１３２】
もちろん、たとえば、（１）上部入力ＩＤＴ電極ＴＵ１（ＩＮ）における電極の重み付けと後述される上部出力ＩＤＴ電極ＴＵ１（ＯＵＴ）における電極の重み付けとに応じてフィルタ６０１の上部トラックの特性が決定され、（２）下部入力ＩＤＴ電極ＴＬ１（ＩＮ）における電極の重み付けと後述される下部出力ＩＤＴ電極ＴＬ１（ＯＵＴ）における電極の重み付けとに応じてフィルタ６０１の下部トラックの特性が決定される。そして、フィルタ６０１の上部トラックの特性とフィルタ６０１の下部トラックとの特性とに応じてフィルタ６０１の特性が決定され、各フィルタ６０１〜６０３の特性に応じて本実施の形態の弾性表面波フィルタの特性が決定されるものである。
【０１３３】
出力ＩＤＴ電極６２０の上部出力ＩＤＴ電極ＴＵ１（ＯＵＴ）は、出力ＩＤＴ電極４２０（図１参照）と同様、一定の電極周期ｐを利用して圧電基板６００（図８参照）上に形成された櫛形形状をもつ電極指を複数本有している。これらの電極指は、抵抗が小さく比重の軽いアルミ合金の金属薄膜で構成されている。また、上部出力ＩＤＴ電極ＴＵ１（ＯＵＴ）は、伝搬方向が両方向である両方向性電極指とともに、矢印Ｘの方向に強く励振する電極指６２１および矢印Ｘの方向とは逆の方向に強く励振する電極指６２２〜６２３を有し、これらを利用した一方向性電極でＲ−ＳＰＵＤＴ（Ｒｅｓｏｎａｎｔ−Ｓｉｎｇｌｅ  Ｐｈａｓｅ  Ｕｎｉｄｉｒｅｃｔｉｏｎａｌ  Ｔｒａｎｓｄｕｃｅｒ）構成を実現している。
【０１３４】
なお、Ｒ−ＳＰＵＤＴ構成とは、その伝搬方向が全て同じではない複数の一方向性電極（ここでの電極は波長λに基づいた電極指のユニットを意味する）をもつ入力ＩＤＴ電極または出力ＩＤＴ電極を混在させ、入力ＩＤＴ電極または出力電極ＩＤＴの内部での共振を利用したフィルタの構成のことであり、設計の自由度が高く小型で低損失なフィルタを実現することができる。
【０１３５】
出力ＩＤＴ電極６２０の下部出力ＩＤＴ電極ＴＬ１（ＯＵＴ）は、前述した上部出力ＩＤＴ電極ＴＵ１（ＯＵＴ）と同様、一定の電極周期ｐを利用して圧電基板６００（図８参照）上に形成された櫛形形状をもつ電極指を複数本有している。また、下部出力ＩＤＴ電極ＴＬ１（ＯＵＴ）は、伝搬方向が両方向である両方向性電極指とともに矢印Ｘの方向とは逆の方向に強く励振する電極指６２４〜６２６を有している。
【０１３６】
前述した実施の形態１の弾性表面波フィルタの場合と同様、圧電基板６００上に発生した歪みが弾性表面波として伝搬してくると、その歪みは上部出力ＩＤＴ電極ＴＵ１（ＯＵＴ）および下部出力ＩＤＴ電極ＴＬ１（ＯＵＴ）を有する出力ＩＤＴ電極６２０において出力電気信号に変換され、変換された出力電気信号が出力端子（図示省略）から出力されるものである。上部出力ＩＤＴ電極ＴＵ１（ＯＵＴ）および下部出力ＩＤＴ電極ＴＬ１（ＯＵＴ）における電極周期ｐおよび電極指６２１〜６２６の配置の仕方などに応じた電極の重み付けは、弾性表面波フィルタの特性が所望の通り実現されるよう設計されている。
【０１３７】
ここまででフィルタ６０１の入力ＩＤＴ電極６１０および出力ＩＤＴ電極６２０の構成について詳細に説明したが、入力ＩＤＴ電極６３０、６５０は入力ＩＤＴ電極６１０と同様の構成を有しており、出力ＩＤＴ電極６４０、６６０は出力ＩＤＴ電極６２０と同様の構成を有している。
【０１３８】
よって、本実施の形態においては、各フィルタ６０１〜６０３の重み付けが実質上全部相等しい。
【０１３９】
なお、入力ＩＤＴ電極６１０、６３０、６５０は本発明の入力ＩＤＴ電極に対応し、出力ＩＤＴ電極６２０、６４０、６６０は本発明の出力ＩＤＴ電極に対応し、フィルタ６０１〜６０３は本発明のフィルタに対応し、圧電基板６００は本発明の基板に対応する。
【０１４０】
つぎに、本発明の実施の形態６のフィルタ６０１の上部トラックにおける周波数と通過特性との関係の説明図である図１０（ａ）、本発明の実施の形態６のフィルタ６０１の下部トラックにおける周波数と通過特性との関係の説明図である図１０（ｂ）、および本発明の実施の形態６のフィルタ６０１における周波数と通過特性との関係の説明図である図１０（ｃ）を主として参照しながら、本実施の形態の弾性表面波フィルタの動作について説明する。
【０１４１】
本実施の形態の弾性表面波フィルタは、入力端子（図示省略）から入力電気信号を入力し、その入力した入力電気信号を一旦弾性表面波に変換してフィルタリングを行い、そのフィルタリングされた弾性表面波を再び出力電気信号に変換して、その変換された出力電気信号を出力端子（図示省略）から出力するという動作を行う。
【０１４２】
その通過特性を調べることにより、本実施の形態の弾性表面波フィルタは良好なフィルタ特性を有することが裏付けられた。
【０１４３】
より具体的に述べると、図１０（ａ）に示されているように、フィルタ６０１の上部トラックの通過特性は、中心周波数ｆ０を中心とする帯域内においておよそ逆Ｗ字形を示している。また、図１０（ｂ）に示されているように、フィルタ６０１の下部トラックの通過特性は、中心周波数ｆ０を中心とする帯域内においておよそ逆Ｖ字形を示している。
【０１４４】
フィルタ６０１の特性は前述した通りこれら上部トラックおよび下部トラックの特性に応じて決定され、図１０（ｃ）に示されているように、フィルタ６０１の通過特性は、中心周波数ｆ０を中心とする帯域内においておよそ逆Ｕ字形を示している。
【０１４５】
各フィルタ６０１〜６０３の重み付けは前述した通り実質上全部相等しいゆえ、フィルタ６０２〜６０３の通過特性はフィルタ６０１の通過特性に実質上等しい。
【０１４６】
よって、Ｄ３−Ｄ２＝Ｄ２−Ｄ１＝λ／１６≦λ／８となるように幾何的距離Ｄ１〜Ｄ３が定められていることでＴＴＥに起因する帯域内リップルが大きく抑制されるから、本実施の形態の弾性表面波フィルタにおいては帯域内の平坦特性が十分に確保されているといえる。
【０１４７】
（実施の形態７）
はじめに、本発明の実施の形態７の弾性表面波フィルタの構成図である図１１を主として参照しながら、本実施の形態の弾性表面波フィルタの構成について説明する。
【０１４８】
本実施の形態の弾性表面波フィルタは、前述した実施の形態１の弾性表面波フィルタ（図１参照）と類似した構成を有しており、入力ＩＤＴ電極６１０と出力ＩＤＴ電極６２０とを有するフィルタ６０１、入力ＩＤＴ電極６３０と出力ＩＤＴ電極６４０とを有するフィルタ６０２、および入力ＩＤＴ電極６５０と出力ＩＤＴ電極６６０とを有するフィルタ６０３が圧電基板６００上に三個並列接続されたトランスバーサル型の弾性表面波フィルタである。また、幾何的距離Ｄ１〜Ｄ３は、各フィルタ６０１〜６０３を矢印Ｘの方向に弾性表面波として主伝搬した信号が合成される際、互いに打ち消し合わないように定められている。
【０１４９】
各フィルタ６０１〜６０３は上部入力ＩＤＴ電極ＴＵ１（ＩＮ）〜ＴＵ３（ＩＮ）、下部入力ＩＤＴ電極ＴＬ１（ＩＮ）〜ＴＵ３（ＩＮ）、上部出力ＩＤＴ電極ＴＵ１（ＯＵＴ）〜ＴＵ３（ＯＵＴ）、下部出力ＩＤＴ電極ＴＵ１（ＯＵＴ）〜ＴＵ３（ＯＵＴ）を利用して配列された二個のトラックに分割されている。
【０１５０】
本実施の形態の弾性表面波フィルタにおけるこれらの配列の仕方は、前述した実施の形態６の弾性表面波フィルタにおける配列の仕方とは異なっている。
【０１５１】
より具体的に説明すると、上部入力ＩＤＴ電極ＴＵ１（ＩＮ）〜ＴＵ３（ＩＮ）が矢印Ｙの方向にこの順で隣り合って配列されており、その下方に下部入力ＩＤＴ電極ＴＬ１（ＩＮ）〜ＴＬ３（ＩＮ）が矢印Ｙの方向にこの順で隣り合って配列されている。また、上部出力ＩＤＴ電極ＴＵ１（ＯＵＴ）〜ＴＵ３（ＯＵＴ）が矢印Ｙの方向にこの順で隣り合って配列されており、その下方に下部出力ＩＤＴ電極ＴＬ１（ＯＵＴ）〜ＴＬ３（ＯＵＴ）が矢印Ｙの方向にこの順で隣り合って配列されている。
【０１５２】
つぎに、本実施の形態の弾性表面波フィルタの動作について説明する。
【０１５３】
本実施の形態の弾性表面波フィルタは、前述した実施の形態６の弾性表面波フィルタと類似した動作を行い、入力端子（図示省略）から入力電気信号を入力し、その入力した入力電気信号を一旦弾性表面波に変換してフィルタリングを行い、そのフィルタリングされた弾性表面波を再び出力電気信号に変換して、その変換された出力電気信号を出力端子（図示省略）から出力するという動作を行う。
【０１５４】
その通過特性を調べることにより、本実施の形態の弾性表面波フィルタは前述した実施の形態６の弾性表面波フィルタと同様に良好なフィルタ特性を有することが裏付けられる。
【０１５５】
（実施の形態８）
はじめに、本発明の実施の形態８の通信装置の構成図である図１２を主として参照しながら、本実施の形態の通信装置の構成について説明する。
【０１５６】
本実施の形態の通信装置は、送信を行うための送信回路１００１と、受信を行うための受信回路１００８と、送信に利用すべき送信信号に対してフィルタリングを行うための弾性表面波フィルタ１００３と、受信に利用すべき受信信号に対してフィルタリングを行うための弾性表面波フィルタ１００６とを備えている。
【０１５７】
つぎに、本実施の形態の通信装置の構成についてより詳しく説明する。
【０１５８】
送信回路１００１は、送信増幅器１００２、弾性表面波フィルタ１００３、スイッチ１００４を介してアンテナ１００５から送信信号を送信するための回路である。
【０１５９】
受信回路１００８は、アンテナ１００５より受信された受信信号をスイッチ１００４、弾性表面波フィルタ１００６、受信増幅器１００７を介して入力するための回路である。
【０１６０】
弾性表面波フィルタ１００３は、前述した実施の形態２の弾性表面波フィルタと類似した構成を有する送信フィルタである。弾性表面波フィルタ１００３は、平衡型の送信増幅器１００２と不平衡型のスイッチ１００４とを接続するための不平衡−平衡型端子を有している。
【０１６１】
弾性表面波フィルタ１００６は、前述した実施の形態２の弾性表面波フィルタと類似した構成を有する受信フィルタである。弾性表面波フィルタ１００６は、平衡型の受信増幅器１００７と不平衡型のスイッチ１００４とを接続するための不平衡−平衡型端子を有している。
【０１６２】
なお、送信回路１００１および受信回路１００８を含む手段は本発明の送信・受信手段に対応し、弾性表面波フィルタ１００３、１００６は本発明の弾性表面波フィルタに対応する。
【０１６３】
つぎに、本実施の形態の通信装置の動作について説明する。
【０１６４】
同じことであるので、送信を行う場合の送信動作について説明する。
【０１６５】
送信回路１００１は、送信すべき送信信号を送信増幅器１００２に対して出力する。
【０１６６】
送信増幅器１００２は、送信回路１００１によって出力された送信信号を入力して増幅し、その増幅した送信信号を弾性表面波フィルタ１００３に対して出力する。
【０１６７】
弾性表面波フィルタ１００３は、送信増幅器１００２によって出力された増幅後の送信信号を平衡型端子より入力してフィルタリングし、そのフィルタリングした送信信号をスイッチ１００４に対して不平衡型端子より出力する。
【０１６８】
スイッチ１００４は、弾性表面波フィルタ１００３によって出力されたフィルタリング後の送信信号を入力し、その送信信号をアンテナ１００５から無線送信する。
【０１６９】
弾性表面波フィルタ１００３は前述した実施の形態２の弾性表面波フィルタと類似した構成を有しており、送信帯域内の平坦特性を十分に確保することが可能となって、本実施の形態の通信装置は高性能な送信動作を実現することができる。
【０１７０】
もちろん、弾性表面波フィルタ１００６も前述した実施の形態２の弾性表面波フィルタと類似した構成を有するゆえ、本実施の形態の通信装置は同様の理由で高性能な受信動作を実現することもできる。
【０１７１】
以上においては、本実施の形態１〜８について詳細に説明した。
【０１７２】
なお、本発明のフィルタは、上述した本実施の形態１〜７においては、三個並列接続されていたが、これに限らず、要するに、三個以上並列接続されていればよい。
【０１７３】
また、本発明の入力ＩＤＴ電極は、上述した本実施の形態１〜７においては、アルミ合金の金属薄膜で形成された櫛形形状をもつ電極指を複数本有していた。しかし、これに限らず、本発明の入力ＩＤＴ電極は、たとえばＣｕ、Ａｌ、Ａｕ、Ｐｔなどの金属薄膜で形成された櫛形形状をもつ電極指を複数本有していてもよい。
【０１７４】
また、本発明の出力ＩＤＴ電極は、上述した本実施の形態１〜７においては、アルミ合金の金属薄膜で形成された櫛形形状をもつ電極指を複数本有していた。しかし、これに限らず、本発明の出力ＩＤＴ電極は、たとえばＣｕ、Ａｌ、Ａｕ、Ｐｔなどの金属薄膜で形成された櫛形形状をもつ電極指を複数本有していてもよい。
【０１７５】
なお、これらの複数本の櫛形形状をもつ電極指は、電極指が一本ずつ交互に配置された形状のシングル電極を形成していてもよいし、電極指が二本ずつ交互に配置された形状のダブル電極を形成していてもよい。もちろん、いわゆる間引きやアポタイズが利用されていてもよい。
【０１７６】
また、本発明の所定の部材は、上述した本実施の形態３においては、金属片４０４〜４０６であったが、これに限らず、要するに、各フィルタにおける入力ＩＤＴ電極と出力ＩＤＴ電極との間の基板上に固定された、音響的な各距離を調節するための部材であればよい。
【０１７７】
また、本発明の基板は、上述した本実施の形態１〜７においては、水晶で形成されていた。しかし、これに限らず、本発明の基板は、たとえば、ランガサイト、ＬｉＴａＯ3、ＬｉＮｂＯ3、ＬＢＯ、Ｌｉ2Ｂ4Ｏ7などで形成されていてもよい。
【０１７８】
また、本発明の各距離は、上述した本実施の形態１〜７においては、全部が相異なっていたが、これに限らず、一部が相異なっていてもよい。
【０１７９】
なお、このような各距離をその大きさの順番に並べた際、互いに隣り合うもの同士の各差は、上述した本実施の形態１〜７においては、全部が実質的に相等しかった。しかし、これに限らず、互いに隣り合うもの同士の各差は、全部が相等しくはなくてもよい。たとえば、前述した実施の形態１の弾性表面波フィルタ（図１参照）と類似した構成を有する弾性表面波フィルタにおいて、幾何的距離Ｄ１〜Ｄ３が主伝搬する信号の波長λに関してＤ１＜Ｄ２＜Ｄ３であって実質的にＤ２−Ｄ１＝λ／１６、Ｄ３−Ｄ２＝λ／３２となるように定められていてもよい。このような弾性表面波フィルタのフィルタ特性は、本発明の実施の形態のＤ２−Ｄ１＝λ／１６、Ｄ３−Ｄ２＝λ／３２である弾性表面波フィルタにおける周波数と通過特性との関係の説明図である図１３に示されているように、前述した実施の形態１の弾性表面波フィルタのフィルタ特性（図２参照）と同様に良好である。
【０１８０】
また、本発明の各距離は、上述した本実施の形態１〜４においては、主伝搬する信号の波長に関して定められていた。しかし、これに限らず、本発明の各距離は、主伝搬する信号の励起中心間の位相の差に関して定められていてもよい。たとえば、前述した実施の形態１の弾性表面波フィルタ（図１参照）と類似した構成を有する、本発明の実施の形態のθ３−θ２＝θ２−θ１＝π／８である弾性表面波フィルタの構成図である図１４に示されているような弾性表面波フィルタにおいて、各距離θ１〜θ３が主伝搬する信号の励起中心（ここでは、入力ＩＤＴ電極、出力ＩＤＴ電極において上部バスバー電極から引き出された電極指が２π周期で配置されているため、その両端に配置された電極指の中心に相当するものとする）間の位相差に関してθ１＜θ２＜θ３であって実質的にθ３−θ２＝θ２−θ１＝π／８≦π／４となるように定められていてもよい。
【０１８１】
また、本発明の各フィルタの重み付けは、上述した本実施の形態１〜７においては、実質上全部が相等しかったが、これに限らず、一部が相等しくてもよい。
【０１８２】
また、本発明のフィルタは、上述した本実施の形態６においては、矢印Ｘの方向に強く励振する電極指６２１および矢印Ｘの方向とは逆の方向に強く励振する電極指６２２〜６２３を利用した一方向性電極をもつ上部出力ＩＤＴ電極ＴＵ１（ＯＵＴ）を有していた。しかし、これに限らず、本発明のフィルタは、方向性が全て同じではない複数の一方向性電極をもつ入力ＩＤＴ電極および／または出力ＩＤＴ電極を有していてもよいし、複数の一方向性電極のみをもつ入力ＩＤＴ電極および／または出力ＩＤＴ電極を有していてもよい。
【０１８３】
また、本発明のフィルタは、上述した本実施の形態６〜７においては、その全部が二個のトラックを有していたが、これに限らず、その全部または一部が二個以上のトラックを有していてもよい。
【０１８４】
【発明の効果】
請求項１に対応する第一の本発明は、たとえば、帯域内の平坦特性を十分に確保することができ、製造の容易な構成で帯域内の平坦特性を十分に確保することができる弾性表面波フィルタを提供することができる。
【０１８５】
請求項２に対応する第二の本発明は、たとえば、実用的な構成で帯域内の平坦特性を十分に確保することができる弾性表面波フィルタを提供することができる。
【０１８６】
請求項３に対応する第三の本発明は、たとえば、実用的な構成で帯域内の平坦特性を十分に確保することができる弾性表面波フィルタを提供することができる。
【０１８７】
請求項４に対応する第四の本発明は、たとえば、小型な構成で帯域内の平坦特性を十分に確保することができる弾性表面波フィルタを提供することができる。
【０１８８】
請求項５に対応する第五の本発明は、たとえば、高い設計自由度を有する構成で帯域内の平坦特性を十分に確保することができる弾性表面波フィルタを提供することができる。
【０１８９】
請求項６に対応する第六の本発明は、たとえば、より高い設計自由度を有する構成で帯域内の平坦特性を十分に確保することができる弾性表面波フィルタを提供することができる。
【０１９０】
請求項７に対応する第七の本発明は、たとえば、簡単な構成で帯域内の平坦特性を十分に確保することができる弾性表面波フィルタを提供することができる。
【０１９１】
請求項８に対応する第八の本発明は、たとえば、簡単な構成で帯域内の平坦特性を十分に確保することができる弾性表面波フィルタを提供することができる。
【０１９２】
請求項９に対応する第九の本発明は、たとえば、低損失な構成で帯域内の平坦特性を十分に確保することができる弾性表面波フィルタを提供することができる。
【０１９３】
請求項１０に対応する第十の本発明は、たとえば、低損失な構成で帯域内の平坦特性を十分に確保することができる弾性表面波フィルタを提供することができる。
【０１９５】
請求項１１に対応する第十一の本発明は、たとえば、帯域内の平坦特性を十分に確保することができる通信装置を提供することができる。
【０１９６】
以上述べたところから明らかなように、本発明は、弾性表面波フィルタを利用するフィルタリングにおける帯域内の平坦特性を十分に確保することができるという長所を有する。
【図面の簡単な説明】
【図１】本発明の実施の形態１の弾性表面波フィルタの構成図である。
【図２】本発明の実施の形態１の弾性表面波フィルタにおける周波数と通過特性との関係の説明図である。
【図３】本発明の実施の形態１の弾性表面波フィルタにおける変化量と帯域内偏差改善量との関係の説明図である。
【図４】本発明の実施の形態２の弾性表面波フィルタの構成図である。
【図５】本発明の実施の形態３の弾性表面波フィルタの構成図である。
【図６】本発明の実施の形態４の弾性表面波フィルタの構成図である。
【図７】本発明の実施の形態５の弾性表面波フィルタの構成図である。
【図８】本発明の実施の形態６の弾性表面波フィルタの構成図である。
【図９】本発明の実施の形態６のフィルタ６０１の構成図である。
【図１０】（ａ）本発明の実施の形態６のフィルタ６０１の上部トラックにおける周波数と通過特性との関係の説明図である。（ｂ）本発明の実施の形態６のフィルタ６０１の下部トラックにおける周波数と通過特性との関係の説明図である。（ｃ）本発明の実施の形態６のフィルタ６０１における周波数と通過特性との関係の説明図である。
【図１１】本発明の実施の形態７の弾性表面波フィルタの構成図である。
【図１２】本発明の実施の形態８の通信装置の構成図である。
【図１３】本発明の実施の形態のＤ２−Ｄ１＝λ／１６、Ｄ３−Ｄ２＝λ／３２である弾性表面波フィルタにおける周波数と通過特性との関係の説明図である。
【図１４】本発明の実施の形態のθ３−θ２＝θ２−θ１＝π／８である弾性表面波フィルタの構成図である。
【図１５】従来の弾性表面波フィルタ（その１）の説明図である。
【図１６】従来の弾性表面波フィルタ（その２）の説明図である。
【図１７】従来の弾性表面波フィルタ（その３）の説明図である。
【図１８】従来の弾性表面波フィルタ（その１）における周波数と通過特性との関係の説明図である。
【図１９】（ａ）従来の弾性表面波フィルタ（その２）における変化量と帯域内偏差改善量との関係の説明図である。（ｂ）従来の弾性表面波フィルタ（その２）における周波数と通過特性との関係の説明図である。
【図２０】従来の弾性表面波フィルタ（その３）における周波数と通過特性との関係の説明図である。
【図２１】従来の弾性表面波フィルタ（その２）におけるフィルタの分割の説明図である。
【符号の説明】
４００  圧電基板
４０１〜４０３  フィルタ
４０４〜４０６  金属片
４１０、４３０、４５０  入力ＩＤＴ電極
４１１〜４１２  電極指
４２０、４４０、４６０  出力ＩＤＴ電極
４２１〜４２２  電極指
５００  圧電基板
５０１〜５０３  フィルタ
５０４〜５０７  接続電極
５１０、５３０、５５０  入力ＩＤＴ電極
５１１〜５１２  電極指
５２０、５４０、５６０  出力ＩＤＴ電極
５２１〜５２２  電極指
６００  圧電基板
６０１〜６０３  フィルタ
６１０、６３０、６５０  入力ＩＤＴ電極
６１１〜６１４  電極指
６２０、６４０、６６０  出力ＩＤＴ電極
６２１〜６２６  電極指
１００１  送信回路
１００２  送信増幅器
１００３  弾性表面波フィルタ
１００４  スイッチ
１００５  アンテナ
１００６  弾性表面波フィルタ
１００７  受信増幅器
１００８  受信回路
【図１】
0003955481.tif 000002
【図２】
0003955481.tif 000003
【図３】
0003955481.tif 000004
【図４】
0003955481.tif 000005
【図５】
0003955481.tif 000006
【図６】
0003955481.tif 000007
【図７】
0003955481.tif 000008
【図８】
0003955481.tif 000009
【図９】
0003955481.tif 000010
【図１０】
0003955481.tif 000011
【図１１】
0003955481.tif 000012
【図１２】
0003955481.tif 000013
【図１３】
0003955481.tif 000014
【図１４】
0003955481.tif 000015
【図１５】
0003955481.tif 000016
【図１６】
0003955481.tif 000017
【図１７】
0003955481.tif 000018
【図１８】
0003955481.tif 000019
【図１９】
0003955481.tif 000020
【図２０】
0003955481.tif 000021
【図２１】
0003955481.tif 000022